【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
始動口への遊技球の入球を契機として、遊技情報を取得する遊技情報取得手段と、
前記遊技情報取得手段により取得された遊技情報を、所定数を限度として記憶する遊技情報記憶手段と、
前記遊技情報記憶手段に記憶されている遊技情報に基づいて、特定遊技状態を生起させるか否かを判定する当たり判定と、当該当たり判定の結果を報知する報知表示に係る報知表示態様を判定する報知表示態様判定と、を含む始動判定を実行する始動判定手段と、
前記始動判定が実行された場合に、当該始動判定により判定された報知表示態様に応じた報知表示を実行する報知表示制御手段と、
前記遊技情報取得手段により取得された遊技情報について、前記始動判定が実行される前に、当該遊技情報に基づいて、報知表示態様を判定する事前判定を実行する事前判定手段と、
前記事前判定の結果に基づいて、当該事前判定により判定された報知表示態様を示唆する示唆演出を実行するか否かを決定する示唆演出決定手段と、
前記示唆演出決定手段により前記示唆演出を実行することが決定された場合に、前記遊技情報記憶手段に記憶されている遊技情報のうち、当該事前判定に係る遊技情報より先に前記始動判定が実行される遊技情報に基づく報知表示の実行中において、当該示唆演出を実行する示唆演出制御手段と、を備え、
前記報知表示態様として、特定演出の実行を示唆する示唆表示態様を含み、
前記示唆演出決定手段は、前記事前判定により前記示唆表示態様が判定された場合に、前記示唆演出の実行を決定することを特徴とする遊技機。
【請求項２】
前記報知表示態様は、前記報知表示のうち第１期間の態様を定義する第１期間表示態様と、前記報知表示のうち前記第１期間より後の第２期間の態様を定義する第２期間表示態様と、を含んでなり、
前記第２期間表示態様として、前記特定演出が対応付けられた特定表示態様を含み、
前記第１期間表示態様として、前記示唆表示態様を含み、
前記示唆演出決定手段は、前記事前判定により前記第１期間表示態様として前記示唆表示態様が判定された場合に、前記示唆演出の実行を決定することを特徴とする請求項１に記載の遊技機。
【請求項３】
前記第２期間表示態様として、互いに異なるリーチ演出が対応付けられた複数種類のリーチ表示態様を含み、
前記特定表示態様は、前記複数種類のリーチ表示態様に含まれ、
前記始動判定では、前記第１期間表示態様として前記示唆表示態様が判定された場合には、前記第２期間表示態様として前記複数種類のリーチ表示態様のうち前記特定表示態様を除いた他のリーチ表示態様が判定されることがないことを特徴とする請求項２に記載の遊技機。
【手続補正２】
【補正対象書類名】明細書
【補正対象項目名】０００６
【補正方法】変更
【補正の内容】
【０００６】
上記目的を達成するために、第一の発明に係る遊技機は、始動口への遊技球の入球を契機として、遊技情報を取得する遊技情報取得手段と、前記遊技情報取得手段により取得された遊技情報を、所定数を限度として記憶する遊技情報記憶手段と、前記遊技情報記憶手段に記憶されている遊技情報に基づいて、特定遊技状態を生起させるか否かを判定する当たり判定と、当該当たり判定の結果を報知する報知表示に係る報知表示態様を判定する報知表示態様判定と、を含む始動判定を実行する始動判定手段と、前記始動判定が実行された場合に、当該始動判定により判定された報知表示態様に応じた報知表示を実行する報知表示制御手段と、前記遊技情報取得手段により取得された遊技情報について、前記始動判定が実行される前に、当該遊技情報に基づいて、報知表示態様を判定する事前判定を実行する事前判定手段と、前記事前判定の結果に基づいて、当該事前判定により判定された報知表示態様を示唆する示唆演出を実行するか否かを決定する示唆演出決定手段と、前記示唆演出決定手段により前記示唆演出を実行することが決定された場合に、前記遊技情報記憶手段に記憶されている遊技情報のうち、当該事前判定に係る遊技情報より先に前記始動判定が実行される遊技情報に基づく報知表示の実行中において、当該示唆演出を実行する示唆演出制御手段と、を備え、前記報知表示態様として、特定演出の実行を示唆する示唆表示態様を含み、前記示唆演出決定手段は、前記事前判定により前記示唆表示態様が判定された場合に、前記示唆演出の実行を決定することを特徴とする。
第一の発明に係る遊技機では、示唆演出が実行される場合には、その後の報知表示において、示唆表示態様に係る報知表示が実行される。そして、実行された示唆表示態様に係る報知表示によって、特定演出が実行されるか否かが示唆される。したがって、示唆演出によって、示唆表示態様に係る報知表示の実行が直接的に示唆されるとともに、特定演出の実行が間接的に示唆される。
よって、示唆演出が実行される場合には、その後の報知表示において、示唆表示態様に係る報知表示が実行されるため、示唆演出によって向上した遊技者の期待感を、当該示唆演出が表示態様を示唆（予告）する報知表示においても維持することができ、演出の興趣を向上することが可能となる。
【手続補正３】
【補正対象書類名】明細書
【補正対象項目名】０００７
【補正方法】変更
【補正の内容】
【０００７】
第二の発明に係る遊技機は、第一の発明に係る遊技機において、前記報知表示態様は、前記報知表示のうち第１期間の態様を定義する第１期間表示態様と、前記報知表示のうち前記第１期間より後の第２期間の態様を定義する第２期間表示態様と、を含んでなり、前記第２期間表示態様として、前記特定演出が対応付けられた特定表示態様を含み、前記第１期間表示態様として、前記示唆表示態様を含み、前記示唆演出決定手段は、前記事前判定により前記第１期間表示態様として前記示唆表示態様が判定された場合に、前記示唆演出の実行を決定することを特徴とする。
第二の発明に係る遊技機では、報知表示態様が、第１期間の態様を定義する第１期間表示態様と、第１期間より後の第２期間の態様を定義する第２期間表示態様と、を含んでなる。また、第２期間表示態様として、特定演出が対応付けられた特定表示態様を有している。さらに、第１期間表示態様として、特定演出が実行されることを示唆する示唆表示態様を有している。そして、示唆演出決定手段は、事前判定により第１期間表示態様として示唆表示態様が判定された場合に、示唆演出の実行を決定する。
これによって、示唆演出が実行される場合には、その後の報知表示（第１期間）において、示唆表示態様に係る報知表示が実行される。そして、実行された示唆表示態様に係る報知表示によって、当該報知表示の第２期間において特定演出（特定表示態様に係る報知表示）が実行されるか否かが示唆される。したがって、示唆演出によって、示唆表示態様に係る報知表示の実行が直接的に示唆されるとともに、特定表示態様に係る報知表示の実行が間接的に示唆される。
よって、示唆演出が実行される場合には、その後の報知表示において、示唆表示態様に係る報知表示が実行されるため、示唆演出によって向上した遊技者の期待感を、当該示唆演出が表示態様を示唆（予告）する報知表示においても維持することができ、演出の興趣を向上することが可能となる。
【手続補正４】
【補正対象書類名】明細書
【補正対象項目名】０００９
【補正方法】変更
【補正の内容】
【０００９】
第三の発明に係る遊技機は、第二の発明に係る遊技機において、前記第２期間表示態様として、互いに異なるリーチ演出が対応付けられた複数種類のリーチ表示態様を含み、前記特定表示態様は、前記複数種類のリーチ表示態様に含まれ、前記始動判定では、前記第１期間表示態様として前記示唆表示態様が判定された場合には、前記第２期間表示態様として前記複数種類のリーチ表示態様のうち前記特定表示態様を除いた他のリーチ表示態様が判定されることがないことを特徴とする。
第三の発明に係る遊技機では、特定表示態様が複数種類のリーチ表示態様に含まれている。そして、始動判定において、第１期間表示態様として示唆表示態様が判定された場合には、第２期間表示態様として複数種類のリーチ表示態様のうち特定表示態様を除いた他のリーチ表示態様が判定されることがない。
これによって、示唆演出及び示唆表示態様に係る報知表示のそれぞれによって、複数種類のリーチ表示態様のうち特定表示態様に係る報知表示が実行されるか否かを示唆することができ、演出の興趣を更に向上することが可能となる。
ここで、リーチ表示態様としては、後述する「リーチ変動パターン」（「ノーマルリーチ」、「スーパーリーチ」及び「スペシャルリーチ」）が該当する。
【手続補正５】
【補正対象書類名】明細書
【補正対象項目名】００１０
【補正方法】変更
【補正の内容】
【００１０】
第四の発明に係る遊技機は、第二又は第三の発明に係る遊技機において、前記事前判定では、前記報知表示態様のうち、前記第１期間表示態様の判定を行い、前記第２期間表示態様の判定を行わないことを特徴とする。
第四の発明に係る遊技機では、事前判定において第２期間表示態様の判定を行うことなく、特定表示態様に係る報知表示が実行されるか否かを間接的に示唆する示唆演出を実行することが可能となる。